(57)【要約】【課題】表示装置から発生する電磁波による無線通信障害を低減する。【解決手段】表示装置は、表示パネル上に配置され、階調値に応じた電圧を各画素に印加する駆動回路（２１０）と、駆動回路に映像信号を伝送する映像信号線（５１０）と、駆動回路に映像信号を伝送するタイミングを制御する信号を伝送する制御信号線（５２０）と、映像信号線及び制御信号線を介して、駆動回路に映像信号を伝送する映像信号制御部（３００）と、を備え、映像信号制御部が映像信号を駆動回路に伝送するための伝送クロック周波数は、映像信号制御部が外部から映像信号を受信するための外部クロック周波数とは異なる。【選択図】図２
2013109272.tif 000002
【特許請求の範囲】
【請求項１】
表示パネル上に配置され、階調値に応じた電圧を各画素に印加する駆動回路と、
前記駆動回路に映像信号を伝送する映像信号線と、
前記駆動回路に前記映像信号を伝送するタイミングを制御する信号を伝送する制御信号線と、
前記映像信号線及び前記制御信号線を介して、駆動回路に映像信号を伝送する映像信号制御部と、を備え、
前記映像信号制御部が前記映像信号を前記駆動回路に伝送するための伝送クロック周波数は、前記映像信号制御部が外部から前記映像信号を受信するための外部クロック周波数とは異なる、ことを特徴とする表示装置。
【請求項２】
請求項１に記載の表示装置であって、
前記伝送クロック周波数は、前記外部クロック周波数よりも高い周波数で前記映像信号を伝送する、ことを特徴とする表示装置。
【請求項３】
請求項１又は２に記載の表示装置であって、
前記映像信号制御部は、異なる表示位置に対応する複数の映像信号を、それぞれ同時に前記駆動回路の前記複数の映像信号に対応する機能部分に伝送する、ことを特徴とする表示装置。
【請求項４】
請求項１乃至３のいずれか一項に記載の表示装置であって、
前記映像信号制御部は、複数の時間帯においてそれぞれ複数の伝送クロック周波数を用いて前記映像信号を伝送し、
前記複数の伝送クロック周波数は、第１伝送クロック周波数及び前記第１伝送クロック周波数の整数倍の第２クロック周波数である、ことを特徴とする表示装置。
【請求項５】
映像信号を外部クロック信号のタイミングで入力して保存する映像信号入力保存工程と、
前記保存された映像信号を伝送クロック信号のタイミングで駆動回路に伝送する映像信号伝送工程と、
前記伝送された映像信号を前記駆動回路が表示のために出力する映像表示工程と、を備え、
前記伝送クロック周波数は、前記外部クロック周波数とは異なっている、ことを特徴とする映像表示方法。
【発明の詳細な説明】
【技術分野】
【０００１】
本発明は、表示装置及び映像表示方法に関する。
【背景技術】
【０００２】
コンピュータ等の情報通信端末やテレビ受像機の表示デバイスとして、液晶表示装置が広く用いられている。また、有機ＥＬ表示装置（ＯＬＥＤ）、電界放出ディスプレイ装置（ＦＥＤ）なども、薄型の表示装置として知られている。このような表示装置は、携帯電話等の携帯端末に組み込まれ利用者への出力装置として用いられているが、携帯端末は無線通信機能を備えるものが多く、表示装置から発せられる電磁波が無線通信に影響を与えていることが知られている。
【０００３】
特許文献１は、入力インターフェイス信号系配線又は電源系配線に金属箔を貼付することでＥＭＩ（Electro Magnetic Interference：電磁波妨害）を低減することについて開示している。
【０００４】
また、特許文献２は、ＳＴＮ型反射型液晶表示装置における２値表示と階調表示に関し、消費電力の削減を目的として、クロック発信手段で発信されたクロック及び当該クロックを分周手段にて分周したクロックのいずれをフレーム周波数として使用するかを選択し、切替えることについて開示している。
【０００５】
また、特許文献３は、携帯用情報機器の消費電力を低減させることを目的として、クロック周波数をクロック周波数切替命令に応じて切替えると共に、処理待ち時間の長短に応じてクロック周波数を切替えることについて開示している。
【先行技術文献】
【特許文献】
【０００６】
【特許文献１】特開平０６−０３７４７８号公報
【特許文献２】特開平１１−１３３９２１号公報
【特許文献３】特開平０５−２８９７６９号公報
【発明の概要】
【発明が解決しようとする課題】
【０００７】
上述した携帯端末のうち、特に近年のタブレット型の携帯端末では、制御ＩＣ（Integrated Circuit）がドライバＩＣと分離して配置されている場合が多く、このような構成では、制御ＩＣからドライバＩＣに画像信号を伝送する際にフレキシブルプリント基板等から発生する電磁波の発生が大きくなる傾向にあり、この電磁波が無線通信に少なからず影響を与えているものと考えられる。このような電磁波に対する対策として、特許文献１に記載されているようなシールド部材を追加するような対応があるが、部材追加及び工数追加となるため、端末の製造コストの増加に繋がってしまう。
【０００８】
本発明は、上述の事情を鑑みてしたものであり、表示装置から発生する電磁波による無線通信障害を低減することを目的とする。
【課題を解決するための手段】
【０００９】
本発明の表示装置は、表示パネル上に配置され、階調値に応じた電圧を各画素に印加する駆動回路と、前記駆動回路に映像信号を伝送する映像信号線と、前記駆動回路に前記映像信号を伝送するタイミングを制御する信号を伝送する制御信号線と、前記映像信号線及び前記制御信号線を介して、駆動回路に映像信号を伝送する映像信号制御部と、を備え、前記映像信号制御部が前記映像信号を前記駆動回路に伝送するための伝送クロック周波数は、前記映像信号制御部が外部から前記映像信号を受信するための外部クロック周波数とは異なる、ことを特徴とする表示装置である。
【００１０】
また、本発明の表示装置において、前記伝送クロック周波数は、前記外部クロック周波数よりも高い周波数で前記映像信号を伝送する、とすることができる。
【００１１】
また、本発明の表示装置において、前記映像信号制御部は、異なる表示位置に対応する複数の映像信号を、それぞれ同時に前記駆動回路の前記複数の映像信号に対応する機能部分に伝送する、とすることができる。
【００１２】
また、本発明の表示装置において、前記映像信号制御部は、複数の時間帯においてそれぞれ複数の伝送クロック周波数を用いて前記映像信号を伝送し、前記複数の伝送クロック周波数は、第１伝送クロック周波数及び前記第１伝送クロック周波数の整数倍の第２クロック周波数とすることができる。
【００１３】
また、本発明の表示装置は、外部の無線通信を行なう無線通信部に対して、前記伝送クロック周波数を、前記無線通信に使用される無線周波数と干渉しないクロック周波数とすることができる。ここで、前記干渉しないクロック周波数は、前記無線周波数の整数倍及び整数分の１の周波数とは異なる周波数とすることができる。
【００１４】
本発明の映像表示方法は、映像信号を外部クロック信号のタイミングで入力して保存する映像信号入力保存工程と、前記保存された映像信号を伝送クロック信号のタイミングで駆動回路に伝送する映像信号伝送工程と、前記伝送された映像信号を前記駆動回路が表示のために出力する映像表示工程と、を備え、前記伝送クロック周波数は、前記外部クロック周波数とは異なっている、ことを特徴とする映像表示方法である。
【図面の簡単な説明】
【００１５】
【図１】本発明の一実施形態に係る液晶表示装置について示す図である。
【図２】図１で示された本発明の表示装置のシステム構成について示す図である。
【図３】第１実施形態における映像信号制御部の入出力に係る信号のタイミングチャートである。
【図４】第２実施形態における映像信号制御部の入出力に係る信号のタイミングチャートである。
【図５】第３実施形態における映像信号制御部の入出力に係る信号のタイミングチャートである。
【図６】第４実施形態における映像信号制御部の入出力に係る信号のタイミングチャートである。
【発明を実施するための形態】
【００１６】
以下、本発明の実施形態について、図面を参照しつつ説明する。なお、図面において、同一又は同等の要素には同一の符号を付し、重複する説明を省略する。
【００１７】
［第１実施形態］
図１は、本発明の第１実施形態に係る表示装置１００について示す図である。ここで、本実施形態における表示装置１００は、液晶表示装置、有機ＥＬ（Electro-Luminescent）表示装置等の各画素が階調値に応じた輝度となることにより表示を行う表示装置であれば、どのような表示装置であってもよい。この図に示されるように、表示装置１００は、表示パネル２００を挟むように固定する上フレーム１１０及び下フレーム１２０と、不図示の主制御部からの指令により映像情報を表示パネル２００で表示できる形式に変換する映像信号制御部３００と、その映像信号制御部３００において変換された情報を表示パネル２００に伝えるフレキシブルプリント基板（ＦＰＣ）５００により構成されている。
【００１８】
図２には、図１で示された本発明の表示装置１００のシステム構成が示されている。この図に示されるように、映像信号制御部３００は、水晶振動子等から構成され所定のクロック信号を出力する発信回路３３０と、発信回路３３０から出力されたクロック信号を入力し、外部から周波数設定信号線３２２を介して周波数が設定されることにより、設定された周波数を伝送クロックとして、伝送クロック信号線３２４、ゲート制御信号線５３０及びソース制御信号線５２０へ出力するタイミング制御部３２０と、入力映像信号線３１２から入力される映像信号を外部クロック信号線３１４から入力される外部クロックのタイミングで内部のメモリに保存すると共に、伝送クロック信号線３２４から入力される伝送クロックのタイミングで映像信号線５１０を介して表示パネル２００に出力する画像メモリ３１０と、を備えている。
【００１９】
表示パネル２００は、不図示の表示領域内の画素トランジスタの走査信号線に階調値に応じた電圧を書込むためのタイミング信号である走査信号を出力するゲートドライバ２２０と、走査信号のタイミングに合わせて階調値に応じた電圧を画素トランジスタに出力するソースドライバ２１０と、を備えている。また、周波数設定信号線３２２は映像信号の無効期間に入力映像信号線３１２を利用して兼用することも可能である。
【００２０】
なお、映像信号制御部３００から表示パネル２００に信号を伝送するための映像信号線５１０、ソース制御信号線５２０、ゲート制御信号線５３０とはフレキシブルプリント基板５００に備えられている。
【００２１】
図３は、図２のシステム構成における、映像信号制御部３００の入出力に係る信号のタイミングチャートである。このタイミングチャートには、表示画面の１行分のデータが外部から送信される期間を示す水平同期信号である制御信号と、画像メモリ３１０に保存するための信号として、入力映像信号線３１２に印加されている信号が有効であることを示す入力有効データ信号と、外部クロック信号線３１４に印加される外部クロック信号と、入力映像信号線３１２に印加される入力映像信号とが示されると共に、映像信号制御部３００から映像信号を出力するための信号として、ソース制御信号線５２０に印加される信号であり、映像信号線５１０に印加されている信号が有効であることを示す出力有効データ信号と、伝送クロック信号線３２４に印加される伝送クロック信号と、映像信号線５１０に印加される映像信号が示されている。なお、本実施形態の入力映像信号線３１２及び映像信号線５１０は、共に同じビット数、例えば２４ビットのパラレル信号線である。
【００２２】
この図に示されるように、入力映像信号Ｓ１１は、入力有効データ信号が有効であることを示すＨｉｇｈである期間に画像メモリ３１０に保存される。ここで、使用される外部クロック信号は、一画面で表示される周期（通常約１／６０秒）を基準として、解像度に合わせた所定の周期のクロック信号である。次に、画像メモリ３１０に保存された映像信号は、出力有効データ信号がＨｉｇｈである期間に映像信号Ｓ１２としてソースドライバ２１０に伝送される。ここで、伝送クロック信号の周期Ｔ11は、外部クロック信号の周期Ｔ10より短いため、外部から画像メモリ３１０に保存される時間より短い時間でソースドライバ２１０に伝送されている。また、伝送クロック信号の周波数には、無線通信との干渉を避けるため、無線通信において使用する無線周波数の整数倍又は整数分の１の周波数とは異なる周波数を使用することができる。
【００２３】
したがって、本実施形態によれば、フレキシブルプリント基板５００により伝送される映像信号の伝送に使用されるクロック周期（又は周波数）を選択することができるため、無線通信の障害とならない周期に設定することにより、シールド部材などの構造の変更を伴う部品等を追加することなく、表示装置から発生する電磁波による無線通信障害を低減することができる。
【００２４】
なお、本実施形態においては、より短い周期の伝送クロック信号を用いて映像信号制御部３００から表示パネル２００に伝送することとしたが、より長い周期の伝送クロック信号を用いることもできる。但し、この場合においても、画面の１行分のデータを水平同期期間よりも長い期間で伝送するような周期を選択することができない。
【００２５】
［第２実施形態］
本発明の第２実施形態について説明する。第２実施形態に係る表示装置の構成及びシステム構成は、ソースドライバ２１０及びフレキシブルプリント基板５００の構成を除き第１実施形態と同様であり、重複する説明を省略する。
【００２６】
第１実施形態と同様に図２を用いて説明するが、本実施形態では、ソースドライバ２１０は、機能的に４つに分割されており、同時に表示領域の異なる４つの部分の映像信号を受信できるようになっている。ソースドライバ２１０のそれぞれの対応機能部分には、それぞれ６ビットの異なるパラレル信号線である第１映像信号線５１２、第２映像信号線５１４、第３映像信号線５１６及び第４映像信号線５１８が接続されている。なお、上述の第１実施形態の場合においては、このような機能は必要なく、ソースドライバ２１０は、このような機能を有していなくてよい。
【００２７】
図４は、本実施形態のシステム構成における、映像信号制御部３００の入出力に係る信号のタイミングチャートである。この図に示されるように、４つに分割されたソースドライバ２１０には、複数の線からなるソース制御信号線５２０にそれぞれ印加される第１有効データ信号〜第４有効データ信号と、第１映像信号線５１２〜第４映像信号線５１８にそれぞれ印加される第１〜第４映像信号とが入力され、伝送クロック信号のタイミングで伝送される。ここで、第１〜第４映像信号は、それぞれ異なる表示位置に対応する映像信号である。
【００２８】
図４に示されるように、第１有効データ信号〜第４有効データ信号はそれぞれ異なるタイミングでＨｉｇｈとなっているが、４つの有効データ信号のうち、２つの有効データ信号は時間的に重なるように配置されている。まず、入力映像信号Ｓ２１が、第１の実施形態と同様に外部クロック信号を用いて画像メモリ３１０に保存される。次に、入力映像信号Ｓ２１を受信した次の水平同期期間において、第１映像信号Ｓ２２及び第４映像信号Ｓ２５のソースドライバへの伝送を同時に開始し、第１映像信号Ｓ２２の伝送の途中で、第４映像信号Ｓ２５の伝送を終了し、同時に第２映像信号Ｓ２３の伝送を開始する。引き続き、第２映像信号Ｓ２３の伝送の途中で、第１映像信号Ｓ２２の伝送を終了し、同時に第３映像信号Ｓ２４の伝送を開始する。最後に、第３映像信号Ｓ２４の伝送の途中で、第２映像信号Ｓ２３の伝送を終了し、第４映像信号Ｓ２６の伝送を開始する。第３映像信号Ｓ２４及び第４映像信号Ｓ２６は、当該水平同期期間内に同時に終了する。
【００２９】
上述したように、第１映像信号〜第４映像信号はそれぞれ６ビットのパラレル信号で、第１映像信号〜第４映像信号のうち２つは同時に送信されているため、計１２ビットが同時に送信されている。入力映像信号は２４ビットであるため、仮に入力データ信号と同じ期間に、第１〜第４映像信号が送信されていることとすると、伝送クロック信号の周期Ｔ21は、外部クロック信号の周期Ｔ20の２分の１とすることにより、同じ期間に同じデータ量を転送できることとなる。
【００３０】
なお、本実施形態では、４つの有効データ信号のうち、２つの有効データ信号が重なるように配置されることとしたが、有効データ信号がＨｉｇｈとなる期間の配分は適宜変更して、３つ以上を重ねることもできるし、いずれも重ならない設定とすることもできる。
【００３１】
したがって、本実施形態によれば、フレキシブルプリント基板５００により伝送される映像信号の伝送に使用されるクロック周期（又は周波数）を選択することができるため、無線通信の障害とならない周期に設定することにより、特別の部品等を追加することなく、表示装置から発生する電磁波による無線通信障害を低減することができる。
【００３２】
また、本実施形態によれば、転送期間が分割されているため、消費電流を分散させることができ、一時的な電流の過多による電源電圧の低下を抑えることができる。
【００３３】
［第３実施形態］
本発明の第３実施形態について説明する。第３実施形態に係る表示装置は、第２実施形態における第１映像信号線５１２、第２映像信号線５１４、第３映像信号線５１６及び第４映像信号線５１８がそれぞれ６ビットのパラレル信号線であったものを、それぞれ２４ビットのパラレル信号線に変更している他は、第２実施形態に係る表示装置と同様であり、重複する説明を省略する。
【００３４】
図５は、本実施形態のシステム構成における、映像信号制御部３００の入出力に係る信号のタイミングチャートである。図４と同様に、第１有効データ信号〜第４有効データ信号はそれぞれ異なるタイミングでＨｉｇｈとなり、４つの有効データ信号のうち、２つの有効データ信号が重なるように配置されている。
【００３５】
この図に示されるように、まず、第２実施形態と同様に、入力映像信号Ｓ３１が、外部クロック信号を用いて画像メモリ３１０に保存される。次に、入力映像信号Ｓ３１を受信した次の水平同期期間において、第１映像信号Ｓ３２及び第４映像信号Ｓ３５のソースドライバへの伝送を同時に開始し、第１映像信号Ｓ３２の伝送の途中で、第４映像信号Ｓ３５の伝送を終了し、同時に第２映像信号Ｓ３３の伝送を開始する。引き続き、第２映像信号Ｓ３３の伝送の途中で、第１映像信号Ｓ３２の伝送を終了し、同時に第３映像信号Ｓ３４の伝送を開始する。最後に、第３映像信号Ｓ３４の伝送の途中で、第２映像信号Ｓ３３の伝送を終了し、第４映像信号Ｓ３６の伝送を開始する。第３映像信号Ｓ３４及び第４映像信号Ｓ３６は当該水平同期期間内において同時に終了する。
【００３６】
第２実施形態と異なるのは、第１映像信号〜第４映像信号はそれぞれ２４ビットのパラレル信号であり、２つの有効データ信号は同時に送信されているため、計４８ビットが同時に送信されている点である。入力映像信号は２４ビットであるため、入力データ信号と同じ期間に、第１〜第４映像信号が送信されていることとすると、伝送クロック信号の周期Ｔ31は、外部クロック信号の周期Ｔ30の２倍とすることにより、同じ期間に同じデータ量を転送できることとなる。
【００３７】
なお、本実施形態では、４つの有効データ信号のうち、２つの有効データ信号が重なるように配置されることとしたが、有効データ信号がＨｉｇｈとなる期間の配分は適宜変更して、３つ以上を重ねることもできるし、いずれも重ならない設定とすることもできる。
【００３８】
したがって、本実施形態によれば、フレキシブルプリント基板５００により伝送される映像信号の伝送に使用されるクロック周期（又は周波数）を選択することができ、無線通信の障害とならない周期に設定することにより、特別の部品等を追加することなく、表示装置から発生する電磁波による無線通信障害を低減することができる。
【００３９】
また、転送期間が分割されているため、消費電流を分散させることができ、一時的な電流の過多による電源電圧の低下を抑えることができる。
【００４０】
［第４実施形態］
本発明の第４実施形態について説明する。第４実施形態に係る表示装置の構成及びシステム構成は、第１実施形態と同様であり、重複する説明を省略する。
【００４１】
図６は、本実施形態のシステム構成における、映像信号制御部３００の入出力に係る信号のタイミングチャートである。この図に示されるように、まず、入力映像信号Ｓ４１が、第１の実施形態と同様に外部クロック信号を用いて画像メモリ３１０に保存される。次に、入力映像信号Ｓ４１を受信した次の水平同期期間において、映像信号Ｓ４２及び映像信号Ｓ４３が、順にソースドライバ２１０に伝送される。ここで、伝送クロック信号の周期は、映像信号Ｓ４２及びＳ４３のそれぞれの伝送で異なる伝送クロック信号の周期Ｔ41及びＴ42を用いている。
【００４２】
ここで、伝送クロック信号の周波数には、無線通信との干渉を避けるため、無線通信において使用する無線周波数の整数倍又は整数分の１の周波数とは異なる周波数を使用することができる。また、周期Ｔ41及びＴ42のうちいずれか一方の伝送クロックの周期を他方の伝送クロックの周期の整数倍とすることにより、放射される電磁波のノイズを一致させることができるため、通信感度を低下させる周波数を回避することができる。
【００４３】
なお、図６においては、映像信号Ｓ４３は、映像信号Ｓ４２の周期よりも長い周期を用いているが、この逆であってもよいし、３種類以上の伝送クロックを用いてもよい。
【００４４】
したがって、本実施形態によれば、フレキシブルプリント基板５００により伝送される映像信号の伝送に使用されるクロック周期（又は周波数）を選択することができるため、無線通信の障害とならない周期に設定することにより、特別の部品等を追加することなく、表示装置から発生する電磁波による無線通信障害を低減することができる。
【符号の説明】
【００４５】
１００  表示装置、１１０  上フレーム、１２０  下フレーム、２００  液晶パネル、２００  表示パネル、２１０  ソースドライバ、２２０  ゲートドライバ、２２０  ソースドライバ、３００  映像信号制御部、３１０  画像メモリ、３１２  入力映像信号線、３１４  外部クロック信号線、３２０  タイミング制御部、３２２  周波数設定信号線、３２４  伝送クロック信号線、３３０  発信回路、５００  フレキシブルプリント基板、５１０  映像信号線、５１２  映像信号線、５１４  映像信号線、５１６  映像信号線、５１８  映像信号線、５２０  ソース制御信号線、５３０  ゲート制御信号線。
【図１】
2013109272.tif 000003
【図２】
2013109272.tif 000004
【図３】
2013109272.tif 000005
【図４】
2013109272.tif 000006
【図５】
2013109272.tif 000007
【図６】
2013109272.tif 000008